(57)【特許請求の範囲】
【請求項１】
施設周辺でのスラブの移動を容易にするスラブ取扱装置であって、
前記スラブ取扱装置は、
床面に平行して水平配置される基礎フレームと、
前記基礎フレームに接続して移動の際に軌道内で転がるように構成された複数の軌道車輪と、
前記基礎フレームに接続した複数の副車輪と、
前記基礎フレームに配置されて観覧側の位置においてスラブを保持するように構成された末端ストッパーの第一セットと、
前記基礎フレームに配置されてスタック側の所定の位置において複数スラブを保持するように構成された末端ストッパーの第二セットと、を備え、
前記基礎フレームの第一末端は、前記基礎フレームから延在する突起部を備え、
前記基礎フレームは、観覧側及びスタック側を形成するために、前記基礎フレームに対して垂直に配置される第二フレームを支える支持構造物のグリッドを備え、
前記第二フレームは、複数の垂直支持部材と、前記垂直支持部材に接続する少なくとも2又は3以上の斜め支持部材と、前記垂直支持部材に接続する1又は複数の水平部材と、を備え、
前記複数の軌道車輪の直径は、前記複数の副車輪の直径よりも大きく、
前記支持構造物のグリッドは、中空断面を有する素材から作られており、前記スラブ取扱装置が移動又は静止状態の間、その上に配置されるスラブを支持するように構成される、スラブ取扱装置。
【請求項２】
前記施設周辺に配置される前記軌道上において前記スラブ取扱装置を移動させるように構成されている駆動機構に更に接続している、請求項1に記載のスラブ取扱装置。
【請求項３】
前記駆動機構は、前記スラブ取扱装置を移動及び停止させるように更に構成される、請求項2に記載のスラブ取扱装置。
【請求項４】
前記複数の軌道車輪は、耐久力のあるキャスター及び硬質ゴムのうちの少なくとも1つから作られる、請求項1に記載のスラブ取扱装置。
【請求項５】
前記基礎フレームは、観覧側に1又は複数のスラブを、スタック側に複数のスラブを収容するように構成される、請求項1に記載のスラブ取扱装置。
【請求項６】
前記基礎フレームから延在する前記突起部は、積過ぎによる転倒に対する前記第二フレーム及び前記基礎フレーム用ストッパーとして構成される、請求項1に記載のスラブ取扱装置。
【請求項７】
スラブ取扱及び輸送システムであって、
施設周辺でのスラブの移動を容易にする複数のスラブ取扱装置と、
前記施設周辺に配置される軌道と、
を備え、
各スラブ取扱装置は、
床面に平行して水平配置される基礎フレームと、
前記基礎フレームに接続して転がるように構成された複数の軌道車輪と、
前記基礎フレームに接続した複数の副車輪と、
基礎フレームに配置されて観覧側の位置においてスラブを保持するように構成された末端ストッパーの第一セットと、
前記基礎フレームに配置されてスタック側の所定の位置において複数スラブを保持するように構成された末端ストッパーの第二セットと、を備え、
前記基礎フレームの第一末端は、前記基礎フレームから延在する突起部を備え、
前記基礎フレームは、観覧側及びスタック側を形成するために、前記基礎フレームに対して垂直に配置される第二フレームを支える支持構造物のグリッドを備え、
前記第二フレームは、複数の垂直支持部材と、前記垂直支持部材に接続する少なくとも2又は3以上の斜め支持部材と、前記垂直支持部材に接続する1又は複数の水平部材と、を備え、
前記複数の軌道車輪の直径は、前記複数の副車輪の直径よりも大きく、
前記複数のスラブ取扱装置は、共に接続して輸送列車を形成し、
前記軌道は、中央生産エリアと、観覧エリアと、搬入搬出場と、を備え、
前記複数のスラブ取扱装置は、シームレスに、前記中央生産エリア、前記観覧エリア及び前記搬入搬出場周辺を軌道上で連続して移動するように構成され、
各スラブ取扱装置の前記スタック側は、前記中央生産エリアの方向を向くように一般的には整列配置され、
各スラブ取扱装置の前記観覧側は、前記観覧エリアの方向を向くように一般的には整列配置される、スラブ取扱及び輸送システム。
【請求項８】
前記輸送列車は、前記軌道上で移動及び停止するように構成される、請求項7に記載のスラブ処理及び輸送システム。
【請求項９】
各スラブ取扱装置は、スラブの在庫を保管し、観覧エリアでスラブを展示するように構成される、請求項8に記載のスラブ処理及び輸送システム。
【発明の詳細な説明】
【技術分野】
【０００１】
本発明は、輸送装置の分野に関する。特に、本発明は、様々なサイズ及び重量のスラブ(例えば、石、スチール及び重量対象物)を輸送するための改良型取扱装置に関する。
【背景技術】
【０００２】
重量素材のスラブを輸送することには、スラブとして構成される硬質素材の重さ、サイズ、及び破損の可能性に起因する特定の課題が存在する。大理石、花崗岩、ガラスの大型スラブ又はその他の平らで硬くそして重い対象物の取扱及び輸送を補助するために、様々な装置を利用することができる。石のスラブは、切断エリア、仕上げエリア、中間準備エリア及び作業場の間を、例えば車輪の付いたカートのような装置又はその他同様の手段を使用して輸送することができる。しかしながら、石のスラブを扱う際には、それらの圧倒的なサイズ及び重量に起因する固有の問題が生じる。大きくて扱いにくい性質の典型的なスラブは、例えば傾斜を昇る、コーナーをうまく曲る等の操作中に更なる問題が生じる。
【０００３】
石のスラブは、破損の防止と空間的に制限された条件への適合のために、輸送中、直立姿勢で通常は支持される。加えて、スラブを水平に運ぶと障害物と接触する可能性が高くなるだけでなく断面(水平)方向に対するスラブ固有の弱点に起因して破損しやすくなる。直立姿勢がスラブ輸送に最も適しているが、横方向へのわずかな傾けや圧接は回避すべきである。
【０００４】
現在では、圧倒的な重量の石スラブの取扱いを補助するカートが存在する。作業場の障害物を横切って石スラブを動かしつつ直立安定性を維持することは、かかるカートでは問題があるだろう。いくつかのカートは、圧倒的な重量がある非常に重たいスラブの取扱に直面する可能性があるため、典型的には直径が小さい金属車輪を備える構成である。別のカートでは、種々のサイズのスラブを収容するために定められた所定の物理的形状による制限が存在する。
【０００５】
前述した取扱及び輸送上の制限に加えて、石スラブを取扱う施設が直面するある種の他の短所が存在する。例えば、大量のスラブから展示のためにたった1つのスラブを取り出すことや、顧客が観覧して選ぶために様々な種類の単一スラブを複数個取り出すことである。
【０００６】
既に前述した短所に加えて、別の短所が当業者には知られている。例えば、アルミニウム又は樹脂の代わりとしてのゴムタイヤの使用は、それらが固形ゴム構成であってもやはり不利なことである。固形ゴムタイヤは、特により傷つきやすい表面と接触すると物的損害を引き起こしたり跡を残したりする観点から金属ローラーと同様に多数の不利な点を示すことが知られている。
【０００７】
従って、効率的にスラブ及び在庫スラブを扱うことができ、同時に、効果的なスラブ展示システムを提供することもできるスラブ取扱装置には需要がある。
【０００８】
簡潔な記載
簡潔には、施設周辺でのスラブの移動を容易にするスラブ取扱装置を提示する。上記スラブ取扱装置は、床面に平行して水平配置される基礎フレームを備え、上記基礎フレームの第一末端は、上記基礎フレームから延在する突起部を備える。上記基礎フレームは、観覧側及びスタック側を形成するために、基礎フレームに対して垂直に配置する第二フレームを支える支持構造物のグリッドを備える。上記第二フレームは、複数の垂直支持部材と、上記垂直支持部材に接続する少なくとも2又は3以上の斜め支持部材と、上記垂直部材に接続する1又は複数の水平部材と、を備える。複数の軌道車輪は、上記基礎フレームに接続して移動の際に軌道内で回転するように構成される。複数の副車輪は、上記基礎フレームに接続し、複数の軌道車輪の直径は、上記複数の副車輪の直径よりも大きい。末端ストッパーの第一セットは、上記基礎フレームに配置されて観覧側の位置においてスラブを保持するように構成され、末端ストッパーの第二セットは、上記基礎フレームに配置されてスタック側の所定の位置において複数スラブを保持するように構成される。上記支持構造物のグリッドは、上記スラブ取扱装置が移動又は静止状態の間、その上に配置されるスラブを支持する中空(hallow)セクションでできている。
【０００９】
別の一実施形態において、スラブ取扱及び輸送システムを提示する。スラブ取扱及び輸送システムは、施設周辺でのスラブの移動を容易にする複数のスラブ取扱装置を備える。各スラブ取扱装置は、床面に平行して水平配置される基礎フレームを備え、上記基礎フレームの第一末端は、上記基礎フレームから延在する突起部を備える。上記基礎フレームは、観覧側及びスタック側を形成するために、基礎フレームに対して垂直に配置する第二フレームを支える支持構造物のグリッドを備える。上記第二フレームは、複数の垂直支持部材と、上記垂直支持部材に接続する少なくとも2又は3以上の斜め支持部材と、上記垂直部材に接続する1又は複数の水平部材と、を備える。複数の軌道車輪は、上記基礎フレームに接続して回転するように構成される。複数の副車輪は、上記基礎フレームに接続し、複数の軌道車輪の直径は、上記複数の副車輪の直径よりも大きい。末端ストッパーの第一セットは、上記基礎フレームに配置されて観覧側の位置においてスラブを保持するように構成され、末端ストッパーの第二セットは、上記基礎フレームに配置されてスタック側の所定の位置において複数スラブを保持するように構成される。上記複数のスラブ取扱装置は、共に接続して輸送列車を形成する。上記施設周辺に配置される軌道は、中央生産エリアと、観覧エリアと、搬入搬出場と、を備え、上記複数のスラブ取扱装置は、シームレスに、上記中央生産エリア、上記観覧エリア及び上記搬入搬出場周辺を軌道上で連続して移動するように構成される。各スラブ取扱装置の上記スタック側は上記中央生産エリアの方向を向くように一般的には整列配置され、各スラブ取扱装置の上記観覧側は上記観覧エリアの方向を向くように一般的には整列配置される。
【図面の簡単な説明】
【００１０】
本発明のこれら及び他の特徴、態様及び利点は、添付の図面(同種の文字は、図面全体にわたって同種の部品を表す)を参照しながら以下の詳細な説明を読むと、よりよく理解できるだろう。
【００１１】
【図１】図1は、本発明の一実施形態による、例示的なスラブ取扱装置を示す。
【００１２】
【図２】図2は、図1の例示的なスラブ取扱装置の別の視点を示す。
【００１３】
【図３】図3は、図1のスラブ取扱装置の側面図を示す。
【００１４】
【図４】図4は、図1のスラブ取扱装置の側面図を示す。
【００１５】
【図５】図5は、本発明の一実施形態による、例示的なスラブ取扱及び輸送システムのブロック図である。
【００１６】
【図６】図6は、例示的なスラブ取扱装置の別の実施形態を示す。
【発明を実施するための形態】
【００１７】
現在は、例えば大理石/花崗岩スラブを選択しようとする消費者のスラブ観覧及び選択プロセスでは、屋外の置き場にある山積みを訪れることが必須である。かかる観覧は、徒歩による長距離移動を含み、時には屋外の置き場に在庫品が保管されているため安全設備が必要である。更に、かかる観覧及び選択プロセスは悪天候によって制限される可能性があり、屋外の置き場でのヘビ及び昆虫の脅威にしばしばさらされる。また、かかる屋外の置き場は、身体に障害がある消費者には手の届かない所である。更に、山積みはドミノスタイルで配置され、多くの場合、充分なサンプル観覧エリアを提供することができない。
【００１８】
一方で、スラブ処理施設におけるスラブの取扱いは、ある種の課題が生じる場合がある。例えば、時間のかかる、観覧又は追加処理のためのスラブ取出工程である。現在の取扱プロセスは、スラブ処理施設の従業員にとって安全な作業環境ではいないだろう。また、ドミノスタイルのスラブの積重ねは、実際の処理よりも多くの時間を取出に費やす点で非効率である。棚卸し及び在庫管理も時間がかかり非効率である。
【００１９】
従って、効率的に在庫を扱うことができ、同時に、本発明の各種実施形態にて開示される効率的な展示システムも提供することができるスラブ取扱システムには需要がある。
【００２０】
図1は、本発明の一実施形態による例示的なスラブ取扱装置を図示する。例示的なスラブ取扱装置10は、施設周辺でのスラブの移動を容易にするように構成されている。スラブ取扱装置10は、床面14に平行して水平配置される基礎フレーム12を備える。基礎フレーム12の第一末端16は、基礎フレーム12から延在する突起部18を備える。基礎フレーム12は、観覧側24及びスタック側26を形成するために、基礎フレーム12に対して垂直に配置する第二フレーム22を支える支持構造物20のグリッドを備える。図2を参照すると、図1の例示的なスラブ取扱装置10とは別の視点の図が示されている。観覧側24は、スタック側26と比べて少ないスラブを収容可能であることがこの視点の図から明らかである。図1及び2を参照すると、第二フレーム22は、複数の垂直支持部材28、30、32、34と、垂直支持部材28、30、32、34に接続する少なくとも2又は3以上の斜め支持部材36、38と、を備える。1又は複数の水平部材40、42は、垂直部材28、30、32、34に接続する。
【００２１】
複数の軌道車輪44、46、48は、基礎フレーム12に接続して移動の際に軌道50内で回転するように構成される。軌道車輪は、耐久力のあるキャスター又は硬質ゴムのうちの少なくとも1つから作られる。複数の副車輪52、54、56は、基礎フレーム12に接続している。軌道車輪44、46、48の直径は、複数の副車輪52、54、56の直径よりも大きい点に留意されたい。末端ストッパー58、60の第一セットは、基礎フレーム12に配置され、スタック側26の位置においてスラブを保持するように構成される。末端ストッパーの第二セットは、基礎フレーム12に配置され、観覧側24の所定の位置において複数スラブを保持するように構成される。支持構造物20のグリッドは、スラブ取扱装置10が移動又は静止状態の間、その上に配置されるスラブを支持する中空セクションでできている。基礎フレーム12に配置された突起部18が、積過ぎ状態による転倒に対するスラブ取扱装置10用安全ストッパーとしての機能を果たすことは、図2からも明らかである。
【００２２】
図3は、図1のスラブ取扱装置10の側面図を示す。この図から、軌道車輪44が軌道50に嵌っていることが明らかである。嵌込式軌道が本願明細書に図示されているが、この実施形態のバリエーションとして、限定するものではないが、例えば、高所軌道、磁気浮揚軌道が可能であることは想定内である。軌道50は、在庫の移動に秩序をもたらす利点があり、そうでなければ在庫は保管エリア及び生産作業エリア周辺全体にランダムに点在することに留意されたい。図4は、図1のスラブ取扱装置10の別の側面図を更に示す。
【００２３】
スラブ取扱装置10の操作中、重工業施設において使用するスラブ(限定するものではないが、スチール、石、花崗岩及び大理石)は、スタック側26に載せられる。図1、2及び3を参照すると、スタック側は、観覧側24と比べて多くのスラブを収容することは明らかである。スタック側26は、一般的には、在庫(inventor)を保管するように構成される。観覧側24は、一般的には、展示目的でスラブが載せられる。仕上げ済みのスラブ側は、消費者が容易に見られるように外側(24)を向く配置である。スラブは、ほぼ直立した姿勢にて配置される点に留意されたい。ほぼ直立した姿勢にスラブを並べることは、ある種の利点(例えば、より良好な取扱性)がある。例えば、大理石又は花崗岩のようなスラブは、平面及び水平姿勢でなければ取扱時に破損しやすい。例えば、ほぼ直立した姿勢で並べる構成は、施設内における取扱性及び輸送性を良好にする。上記施設の非制限的な例示には、石材処理、加工及び仕上げ工場が含まれる。積込み済みのスラブ取扱装置10を、スラブ処理施設周辺に配置される軌道上においてスラブ取扱装置を移動させるように構成された駆動機構に接続させてもよい。駆動機構は、施設における所望の場所でスラブ取扱装置を移動及び停止させるように更に構成させてもよい。
【００２４】
図5を参照すると、本発明の一実施形態による例示的なスラブ取扱及び輸送システムのブロック図が示される。スラブ取扱及び輸送システム70は、共に接続して輸送列車69を形成する複数のスラブ取扱装置10、71-86を備える。輸送列車69におけるスラブ取扱装置の各々は、図1-4にて説明したスラブ取扱装置と類似する構造を有してもよい。一般的な施設70は、中央生産エリア88、観覧エリア90及び搬入搬出場92を備える。施設70は、オフィス部屋97及び他の多用途部屋99を備えてもよい。中央生産エリア88は、生産ライン89、91、加工エリア95及び搬入搬出ゾーン93を更に備えてもよい。輸送列車69を形成する複数のスラブ取扱装置10、71-86は、施設70周辺に配置される軌道50上で連続して移動する構成である。各スラブ取扱装置10、71-86のスタック側26は中央生産エリア88の方向を向くように一般的には整列配置され、各スラブ取扱装置の観覧側24は観覧エリア90の方向を向くように一般的には整列配置される点に留意されたい。トラクションモーターのような駆動機構は、輸送列車69と接続するチェーンに接続させてもよい。駆動機構は、少なくとも2つの方向(例えば、順方向98又は逆方向100)に輸送列車69を移動させるように構成される。駆動機構は、例えば、施設70内の都合のよい位置に設けてもよい。
【００２５】
操作中、駆動機構は、軌道50における所望の場所に輸送列車69を移動させて輸送列車69を停止させるように構成される。例えば、新しい在庫品が施設に到着すると、輸送列車69は搬入搬出場92の方向へ移動する。空のスラブ取扱装置は、スラブ取扱装置への積込みを容易にするために搬入搬出ゾーン93に配置される。また、展示スラブは観覧側24に設置して、保管用の他のスラブはスラブ取扱装置上のスタック側26に設置するように配慮される。顧客が選ぶために1又は複数のスラブのサンプルを見ようとすると、輸送列車69は観覧エリア90の方向へ移動する。中央生産エリア88と観覧エリア90とを隔てるガラス仕切り94は、観覧エリア90における快適な座席配置での顧客の閲覧をしやすくする。図示された施設70のブロック図から明らかなように、輸送列車69は、中央生産エリア88において目的の生産用在庫品を取り出すためにスタック側も使用する。スラブ取扱装置は、スラブの簡単な輸送、保管及び展示を容易にする。
【００２６】
図6は、例示的なスラブ取扱装置の他の実施形態を示す。スラブ取扱装置102は、図1にて説明したスラブ取扱装置の構造と全体的に類似する。しかしながら、突起部18はこの設計から除かれ、更に、軌道車輪のセットは全域にわたって一様な副車輪に置き換えられている。車輪108は、耐久力のあるキャスター又は硬質ゴムのうちの少なくとも1つから製造される。安全機構として、図6に示される構成は少なくとも2つのコンクリート縁石を備え、その中においてスラブ取扱装置102は周辺を移動するように定められている。
【００２７】
有利な点として、スラブ観覧及び選択プロセス(消費者による大理石/花崗岩スラブの選択)は、本発明が提案する実施形態によって簡潔になる。屋外の置き場を訪れて徒歩により長距離移動することは回避される。更に、屋外の置き場でのヘビ及び昆虫の脅威を完全に回避し且つ心地のよい観覧エリア内での観覧及び選択の体験は、顧客を満足させる。更に、全体を観察できるサンプル観覧エリアが、スラブ取扱及び輸送システムによって提供される。スラブ処理は、本発明の様々な実施形態にて説明したかかる輸送及び取扱システムを実行することによって簡潔になる。例えば、時間のかかる、観覧又は追加処理のためのスラブ取出工程は回避される。更に、上記スラブの取扱いは、スラブ処理施設の従業員にとって安全な作業環境になる。また、スラブを並べることは、取出及び処理にかかる時間がより効率的になる。棚卸し及び在庫管理も効率的になる。
【００２８】
本発明に関するある種の特徴だけが図示され、本願明細書に記載されているが、多くの変更形態と改変は当業者が気づくものであろう。従って、特許請求の範囲は、本発明の要旨の範囲内に含まれるこれらのようなすべての改変及び変形をカバーすることを意図している。
【図１】
0005745093.tif 000002
【図２】
0005745093.tif 000003
【図３】
0005745093.tif 000004
【図４】
0005745093.tif 000005
【図５】
0005745093.tif 000006
【図６】
0005745093.tif 000007